(57)【要約】【課題】被測定電流に検出精度を一層向上させることが可能なシャント抵抗式電流センサを提供する。【解決手段】シャント抵抗式電流センサ１は、導電部材からなるバスバ１０と、バスバ１０上に設置された回路基板２０と、回路基板２０上に設置され、バスバ１０に流れる被測定電流の大きさを検出するために回路基板２０に印加される電圧値を検出する電圧検出ＩＣ３０と、を備え、回路基板２０は、バスバ１０に流れる被測定電流により生じる磁界によって発生する誘導電流を打ち消す補正回路パターン２２が形成されている。【選択図】図１
2012220248.tif 000002
【特許請求の範囲】
【請求項１】
導電部材からなるバスバと、
前記バスバ上に設置された回路基板と、
前記回路基板上に設置され、前記バスバに流れる被測定電流の大きさを検出するために回路基板に印加される電圧値を検出する電圧検出手段と、を備え、
前記回路基板は、前記バスバに流れる被測定電流により生じる磁界によって発生する誘導電流を打ち消す補正回路パターンが形成されている
ことを特徴とするシャント抵抗式電流センサ。
【発明の詳細な説明】
【技術分野】
【０００１】
本発明は、シャント抵抗式電流センサに関する。
【背景技術】
【０００２】
従来、パルス電流や交流大電流等を測定するため、抵抗値が既知なシャント抵抗に被測定電流を流し、このシャント抵抗に生じる電圧降下を測定するシャント抵抗式電流センサが提案されている。このようなシャント抵抗式電流センサは、高周波電流等を測定しようとするとインダクタンス成分が生じ、被測定電流に誤差が生じてしまう。
【０００３】
そこで、インダクタンス成分を少なくしたシャント抵抗式電流センサが提案されている。このシャント抵抗式電流センサは、抵抗体と固定端子板との間隔を狭くすることでインダクタンス成分を低減して被測定電流の検出誤差を小さくするようにしている（特許文献１及び２参照）。
【先行技術文献】
【特許文献】
【０００４】
【特許文献１】特開２００２−３１９５０１号公報
【発明の概要】
【発明が解決しようとする課題】
【０００５】
しかし、特許文献１に記載のシャント抵抗式電流センサは、抵抗体と固定端子板との間隔が存在するため、インダクタンス成分が少なからず残り、被測定電流に検出誤差が生じてしまう。
【０００６】
本発明はこのような従来の課題を解決するためになされたものであり、その目的とするところは、被測定電流に検出精度を一層向上させることが可能なシャント抵抗式電流センサを提供することにある。
【課題を解決するための手段】
【０００７】
本発明のシャント抵抗式電流センサは、導電部材からなるバスバと、バスバ上に設置された回路基板と、回路基板上に設置され、バスバに流れる被測定電流の大きさを検出するために回路基板に印加される電圧値を検出する電圧検出手段と、を備え、回路基板は、バスバに流れる被測定電流により生じる磁界によって発生する誘導電流を打ち消す補正回路パターンが形成されていることを特徴とする。
【０００８】
本発明のシャント抵抗式電流センサによれば、回路基板は、バスバに流れる被測定電流により生じる磁界によって発生する誘導電流を打ち消す補正回路パターンが形成されている。このため、誘導電流による検出誤差が発生しないこととなり、被測定電流に検出精度を一層向上させることができる。
【発明の効果】
【０００９】
本発明によれば、被測定電流に検出精度を一層向上させることが可能なシャント抵抗式電流センサを提供することができる。
【図面の簡単な説明】
【００１０】
【図１】本発明の実施形態に係るシャント抵抗式電流センサを示す上面図である。
【図２】本発明の実施形態に係るシャント抵抗式電流センサを示す側面図である。
【発明を実施するための形態】
【００１１】
以下、本発明の好適な実施形態を図面に基づいて説明する。図１は、本発明の実施形態に係るシャント抵抗式電流センサを示す上面図であり、図２は、本発明の実施形態に係るシャント抵抗式電流センサを示す側面図である。なお、これらの図では説明の便宜上、磁束についても図示している。
【００１２】
同図に示すように、シャント抵抗式電流センサ１は、バスバ１０と、回路基板２０と、電圧検出ＩＣ（電圧検出手段）３０と、接続部４０とを備えている。
【００１３】
バスバ１０は、平板形状の導電部材であって、例えば銅マンガン合金や銅ニッケル合金などにより構成されている。このバスバ１０は、平板形状の鋼材からプレス成形により所望の形状に形成される。また、バスバ１０はシャント抵抗の役割を果たし、被測定電流が流れるようになっている。なお、本実施形態においてバスバ１０は平板形状であるが、これに限らず、特許文献１のように湾曲する形状等であってもよい。
【００１４】
回路基板２０は、所定の回路パターン２１を有し、バスバ１０上に設置されて回路パターン２１に被測定電流の一部が流れる構成となっている。また、回路基板２０は、２つの接続部４０を介してバスバ１０と電気接続されている。
【００１５】
電圧検出ＩＣ３０は、回路基板２０の回路パターン２１上に設置され、バスバ１０に流れる被測定電流の大きさを検出するために回路パターン２１に印加される電圧値を検出するものである。この電圧検出ＩＣ３０による電圧値の検出により、バスバ１０に生じる電圧降下が測定される。
【００１６】
ここで、シャント抵抗式電流センサ１では被測定電流が流れることにより、図示のように磁束が発生して誘導電流が流れてしまう。すなわち、図２から明らかなようにバスバ１０、回路基板２０の回路パターン２１、及び接続部４０により閉回路（コイル）が形成され、この閉回路に誘導電流が流れてしまう。これにより、被測定電流の検出精度が悪化してしまう。
【００１７】
そこで、本実施形態に係るシャント抵抗式電流センサ１は、補正回路パターン２２を備えている。補正回路パターン２２は回路基板２０上に形成されている。この補正回路パターン２２は、被測定電流の入力側の接続部４０と電圧検出ＩＣ３０との間の点Ａにおいて回路パターン２１から分岐され、被測定電流の出力側の接続部４０と電圧検出ＩＣ３０との間の点Ｂにおいて回路パターン２１に接続される。すなわち、補正回路パターン２２は、電圧検出ＩＣ３０を迂回するように回路基板２０に形成されている。
【００１８】
なお、補正回路パターン２２は、被測定電流が流れることにより発生する磁束を打ち消す磁束量となるように形状等が設定されている。また、回路基板２０には図示するもののほか、電源回路や演算処理部等が設けられていてもよい。
【００１９】
次に、本実施形態に係るシャント抵抗式電流センサ１の作用を説明する。まず、被測定電流が流れたとする。これにより、磁束が発生して図２に示すような誘導電流が発生する。
【００２０】
一方、被測定電流の一部は接続部４０を通じて回路基板２０に流れ、入力側の回路パターン２１を通じて電圧検出ＩＣ３０に至り、出力側の回路パターン２１及び接続部４０を通じてバスバ１０に至る。そして、電圧検出ＩＣ３０は、回路パターン２１に印加される電圧値を検出する。
【００２１】
ここで、被測定電流が流れることにより磁束が発生する。このため、補正回路パターン２２がコイルの役割を果たし、図２に示した誘導電流を打ち消すように誘導電流が発生する。よって、補正回路パターン２２の形状等を所定のものとしておけば、図２に示した誘導電流を打ち消すだけの誘導電流を補正回路パターン２２により発生させることができる。故に、電圧検出ＩＣ３０による電圧の測定精度を高めることができ、被測定電流に検出精度を一層向上させることができる。
【００２２】
このようにして、本実施形態に係るシャント抵抗式電流センサ１によれば、回路基板２０は、バスバ１０に流れる被測定電流により生じる磁界によって発生する誘導電流を打ち消す補正回路パターン２２が形成されている。このため、誘導電流による検出誤差が発生しないこととなり、被測定電流に検出精度を一層向上させることができる。
【００２３】
以上、実施形態に基づき本発明を説明したが、本発明は上記実施形態に限られるものではなく、本発明の趣旨を逸脱しない範囲で、変更を加えてもよい。
【００２４】
例えば、本実施形態に係るシャント抵抗式電流センサ１において、補正回路パターン２２は、図１に示すように四角形状となっているが、これに限らず、円形などの他の形状であってもよい。また、位置についても図１に示すものに限られるものではない。加えて、補正回路パターン２２のみが形成された回路基板を有し、この基板と電圧検出ＩＣ３０が搭載される回路基板２０とが電気接続されるようになっていてもよい。
【符号の説明】
【００２５】
１…シャント抵抗式電流センサ
１０…バスバ
２０…回路基板
２１…回路パターン
２２…補正回路パターン
３０…電圧検出ＩＣ（電圧検出手段）
４０…接続部
【図１】
2012220248.tif 000003
【図２】
2012220248.tif 000004